(57)【要約】【課題】  録画された多数の番組に対してユーザーの消去操作の負担と誤消去の危険性を軽減できる録画再生装置を提供することにある。【解決手段】  符号化された映像データを含むコンテンツを記録する主記録媒体ＨＤＤ１０３と、録画予約を設定する録画予約設定手段２０３と、録画予約設定手段による録画予約設定に基づいて主記録媒体ＨＤＤ１０３に番組の映像データを録画する録画実行手段２０６とを有し、映像データの録画および再生を行う録画再生装置１であって、録画予約される番組に有効期限を設定する有効期限設定手段２０４と、番組の有効期限および現在時刻に基づいて、番組を分類し、分類された番組ごとに録画番組一覧表示を行う一覧表示手段２１２とを備えた。【選択図】  図１
2006173766.tif 000002
【特許請求の範囲】
【請求項１】
符号化された映像データを含むコンテンツを記録する記録媒体と、録画予約を設定する録画予約設定手段と、前記録画予約設定手段による録画予約設定に基づいて前記記録媒体に番組の映像データを録画する録画実行手段とを有し、前記映像データの録画および再生を行う録画再生装置であって、
録画予約される番組に有効期限を設定する有効期限設定手段と、
前記番組の前記有効期限および現在時刻に基づいて、前記番組を分類し、分類された番組ごとに録画番組一覧表示を行う一覧表示手段とを備えたことを特徴とする録画再生装置。
【請求項２】
請求項１記載の録画再生装置において、
前記有効期限設定手段は、前記番組の性質に基づいて、前記有効期限の初期値を保持し、前記番組の録画予約時に、前記録画予約される番組に対して、保持している前記有効期限の初期値を設定することを特徴とする録画再生装置。
【請求項３】
請求項１または２記載の録画再生装置において、
前記一覧表示手段は、前記番組の前記有効期限および前記現在時刻に基づいて、前記有効期限が前記現在時刻より後の番組を通常の録画済み番組として分類し、通常の録画済み番組一覧として表示することを特徴とする録画再生装置。
【請求項４】
請求項３記載の録画再生装置において、
前記一覧表示手段は、前記通常の録画済み番組を前記有効期限の昇順で並べて表示することを特徴とする録画再生装置。
【請求項５】
請求項１、２、３または４記載の録画再生装置において、
前記一覧表示手段は、前記有効期限が永久保管である番組を永久保管の録画済み番組として分類し、永久保管の録画済み番組一覧として表示することを特徴とする録画再生装置。
【請求項６】
請求項５記載の録画再生装置において、
前記永久保管の録画済み番組の容量が、永久保管対象録画データの報知設定容量を超えた時、前記報知設定容量を超えた旨の情報をユーザーに報知するユーザー報知手段を備えたことを特徴とする録画再生装置。
【請求項７】
請求項５または６記載の録画再生装置において、
前記一覧表示手段は、前記永久保管の録画済み番組を録画日時の降順に並べて表示することを特徴とする録画再生装置。
【請求項８】
請求項１，２，３、４、５、６または７記載の録画再生装置において、
前記一覧表示手段は、前記有効期限が前記現在時刻より以前の番組を移行後の録画済み番組として分類し、移行後の録画済み番組一覧として表示することを特徴とする録画再生装置。
【請求項９】
請求項８記載の録画再生装置において、
前記一覧表示手段は、前記移行後の録画済み番組を前記有効期限の降順で並べて表示することを特徴とする録画再生装置。
【請求項１０】
請求項８または９記載の録画再生装置において、
前記移行後の録画済み番組の容量が、自動消去対象録画データの保存限度容量を超えた時、前記移行後の録画済み番組の内、前記有効期限の古い番組から順に削除する自動消去手段を備えたことを特徴とする録画再生装置。
【発明の詳細な説明】
【技術分野】
【０００１】
本発明は、テレビ番組などの録画／再生を行う録画再生装置に関し、特に録画番組の管理に適用して有効な技術に関するものである。
【背景技術】
【０００２】
ＨＤＤ（ハードディスクドライブ）など装置に内蔵される主記録媒体の大容量化、低価格化、主記録媒体への記録再生アクセス速度の高速化、記録再生伝送速度の高速化、および動画を含む画像信号および音声信号を圧縮符号化する処理の高速化が進んだことに伴い、これらの技術を用いて、テレビ番組の画像信号および音声信号を圧縮符号化して記録し、復号して再生することができ、また、長期間の保管用のためのＤＶＤ−Ｒなど装置に着脱可能な第２の記録媒体に主記録媒体ＨＤＤ内の録画番組をダビングできる録画再生装置が製品化されるようになってきた。
【０００３】
このような録画再生装置によれば、ＨＤＤに代表される大容量の主記録媒体に複数のテレビ番組の画像信号および音声信号を記録することが可能となる。例えば４００ＧＢの大容量ＨＤＤを搭載した録画再生装置では、ＬＰ記録モードで約３６０時間、ＳＰ記録モードで約１８０時間の長時間で膨大な番組の映像データが記録可能であり、また、装置に着脱可能な第２の記録媒体であるＤＶＤ−Ｒも、１枚で４．７ＧＢの容量を持つＤＶＤ−Ｒメディアの場合には、ＬＰ記録モードで約４時間、ＳＰ記録モードで約２時間の映像データが記録可能である。
【０００４】
このため、このような録画再生装置には、複数の番組を予約録画することができるように録画する番組を設定する機能と、毎日の天気予報や連続ドラマのように複数回にわたって放送される番組の録画を一つの録画予約で設定できる機能を持たせるようにすることが望ましい。また、録画された番組を一覧表示できる機能や既に視聴した番組を消去できる機能を持たせるようにすることが望ましい。
【０００５】
しかしながら、ＨＤＤが大容量化されるのに伴って、ＨＤＤ内に録画保存される番組数が膨大になるため、視聴して保存不要となった番組や２日前の天気予報番組など視聴せずとも保存不要となった多数の番組を、必要の都度、ユーザーが消去操作によって消去する必要があるため、ユーザーの負担が多大となる上にユーザーが録画番組を誤消去する危険性が増してしまう。
【０００６】
そこで、従来では、複数回にわたって放送される番組を一つの録画予約で録画する場合に、前回の放送時に記録した番組を今回の放送時に記録を実行する直前（１分前など）に自動的に消去することにより、ユーザーの消去操作の負担を軽減することができるようにしているものがあった（例えば、特許文献１参照）。
【０００７】
また、複数回にわたって放送される番組を一つの録画予約で録画する場合に、ユーザーが自動消去の間隔を設定し、その間隔で自動的に消去することにより、ユーザーの消去操作の負担を軽減することができるようにしているものがあった（例えば、特許文献２参照）。
【特許文献１】特開２００２−  ３３９８６号公報
【特許文献２】特開２００４−１８００６１号公報
【発明の開示】
【発明が解決しようとする課題】
【０００８】
特許文献１，２に記載されたものは、複数回にわたって放送される番組を一つの録画予約で録画する場合にのみユーザーの消去操作の負担が軽減されるものであり、単発の番組の録画に対してはユーザーの消去操作の負担や誤消去の危険性が軽減されないという、なお改善すべき課題があった。
【０００９】
また、ＨＤＤが大容量化されるのに伴って、ＨＤＤ内に録画保存される番組数が膨大になるため、以下の課題が顕著になってくる。
【００１０】
第１の課題は、ＨＤＤ内に録画保存される番組が、ユーザーが視聴したい肝心の未視聴の番組だけでなく、未視聴であっても数日前のニュースや天気予報の録画番組など既に視聴する価値が無くなった番組や、毎朝の連続ドラマの録画番組など１週間まとめて視聴する目的で未視聴のまま保管している番組や、未視聴／既視聴に関係なく永久保管を目的として保管している番組や、既に視聴する価値が無くなってはいるが、ユーザーが消去していない番組など、膨大な数あるために、例え「未視聴」といった検索キーによって録画番組を絞込み検索をしたとしても、ユーザーが視聴したい肝心の録画番組を探すのが難しいということである。
【００１１】
第２の課題は、長期間の保管用のためのＤＶＤ−Ｒなど装置に着脱可能な第２の記録媒体にＨＤＤ内の録画された番組をダビングする際に、ＨＤＤ内に録画保存された番組が膨大であるために、第２の記録媒体にダビング対象とする目的で保存された番組がどれかユーザーが容易に判断できないということである。また、ＤＶＤ−Ｒにダビングする録画番組がＨＤＤ内に必要充分の容量だけ貯まったかどうか、ユーザーが容易に判断できないということである。
【００１２】
そこで、本発明の目的は、多数の録画番組を記録できる主記録媒体を有する録画再生装置において、ユーザーが再生したい録画番組を探すのが容易になり、永久保存すべき録画番組および削除すべき録画番組を容易に判別することができ、録画された多数の番組に対してユーザーの消去操作の負担と誤消去の危険性を軽減できる録画再生装置を提供することにある。
【課題を解決するための手段】
【００１３】
本発明による録画再生装置は、符号化された映像データを含むコンテンツを記録する記録媒体と、録画予約を設定する録画予約設定手段と、録画予約設定手段による録画予約設定に基づいて記録媒体に番組の映像データを録画する録画実行手段とを有し、映像データの録画および再生を行う録画再生装置であって、録画予約される番組に有効期限を設定する有効期限設定手段と、番組の有効期限および現在時刻に基づいて、番組を分類し、分類された番組ごとに録画番組一覧表示を行う一覧表示手段とを備えたものである。
【発明の効果】
【００１４】
本発明によれば、有効期限が現在時刻より後の新しい録画番組だけを通常の番組一覧表示とするほか、有効期限が永久保管とされた録画番組だけを永久保管の番組一覧表示とするため、ユーザーが再生したい録画番組を探すのが容易になる。
【００１５】
また、本発明によれば、長期間の保管用のためのＤＶＤ−Ｒなど装置に着脱可能な第２の記録媒体にダビングする目的でハードディスク内に保存した録画番組だけを永久保管の番組一覧表示とするため、ユーザーが永久保管の番組を容易に判別できる。
【００１６】
また、本発明によれば、永久保管の番組がＨＤＤ内に必要充分の容量貯まった時にユーザーに報知されるため、ＤＶＤ−Ｒなどの第２の記録媒体に録画番組をダビングする操作をユーザーが効率良くできるようになる。
【発明を実施するための最良の形態】
【００１７】
以下、本発明の実施の形態を図面に基づいて詳細に説明する。なお、実施の形態を説明するための全図において、同一の部材には原則として同一の符号を付し、その繰り返しの説明は省略する。
【００１８】
＜録画再生装置の構成＞
図１により、本発明の一実施の形態に係る録画再生装置の構成について説明する。図１は本発明の一実施の形態に係る録画再生装置の構成を示す構成図である。
【００１９】
図１において、録画再生装置１は、主記録媒体ＨＤＤ１０３、第２の記録媒体１０４、チューナー１０５、エンコーダ１０６、デコーダ１０７、オーバーレイ部１０８、メニュー表示部１０９、ユーザー入力部１１１、ＣＰＵ１１２、バス１１３、ＲＯＭ１１４、ＲＡＭ１１５、ＲＴＣ１１６から構成される。
【００２０】
この録画再生装置１には、アンテナ１０１およびモニター１０２が接続されている。この録画再生装置１は、アンテナ１０１で受信された電波から得られた映像および音声を主記録媒体ＨＤＤ１０３に記録し、記録された映像をモニター１０２上で再生することができる。また、主記録媒体ＨＤＤ１０３に記録された映像データは、必要に応じて装置に着脱可能なＤＶＤ−Ｒなど第２の記録媒体にダビングすることができる。
【００２１】
録画再生装置１のチューナー１０５は、アンテナ１０１で受信された電波から目的のチャンネルを選局し、そのチャンネルの映像および音声をエンコーダ１０６に与える。エンコーダ１０６は、与えられた映像および音声を所定の記録形式で符号化する。
【００２２】
エンコーダ１０６により符号化されたデータは、主記録媒体ＨＤＤ１０３に記録される。デコーダ１０７は、主記録媒体ＨＤＤ１０３に記録されたデータを復号化し、復号化した映像のデータをオーバーレイ部１０８に出力する。
【００２３】
また、メニュー表示部１０９は、録画再生装置１の動作設定や状況を表す表示データを作成する。オーバーレイ部１０８は、デコーダ１０７からの映像のデータにメニュー表示部１０９からの表示データを合成した所定の表示形式の映像を生成する。オーバーレイ部１０８により生成された映像が、モニター１０２上に表示される。
【００２４】
モニター１０２に表示された映像を見る指示やその他の録画再生装置１に対する指示をユーザーが行うのに、例えばリモコン１１０が用いられる。ユーザーがリモコン１１０を用いて指示を入力すると、ユーザー入力部１１１が、リモコン１１０からの入力を受け付け、その内容をＣＰＵ１１２に伝える。ＣＰＵ１１２は、バス１１３を通じて行われるデータ転送や録画再生装置１における各種の処理を制御する。
【００２５】
ＲＯＭ１１４には、プログラムが記録されており、ＣＰＵ１１２は、ＲＡＭ１１５や主記録媒体ＨＤＤ１０３を用いながら、このプログラムに従って動作する。ＲＴＣ１１６は、リアルタイムクロックであり、常に現在時刻を保持し、プログラムされた指定の時刻になると、装置の動作のために必要な電源を投入してＣＰＵ１１２に指定の時刻になったことを通知する。
【００２６】
ここで、ＲＯＭ１１４には、容量設定手段２０１、録画予約設定手段２０３、有効期限設定手段２０４、録画実行手段２０６、容量判定手段２０９、自動消去手段２１０、ユーザー報知手段２１１、一覧表示手段２１２、有効期限変更手段２１３、再生実行手段２１４、再生終了検知手段２１５を実現するためのプログラムが記録されている。
【００２７】
また、主記録媒体ＨＤＤ１０３には、有効期限初期値テーブル２０、設定容量値２０２、録画予約データ２０５、録画済み番組管理データ２０７、録画済み番組映像データ２０８を格納するデータ領域が設けられている。
【００２８】
設定容量値２０２としては、自動消去対象録画データの保存限度容量２０２ａおよび永久保管対象録画データの報知設定容量２０２ｂの情報が格納されている。
【００２９】
ＣＰＵ１１２やＲＯＭ１１４、ＲＡＭ１１５、ＲＴＣ１１６、主記録媒体ＨＤＤ１０３などによって構成される録画再生装置１内のコンピュータと、ＲＯＭ１１４内に記録されているプログラムが協働することによって、録画再生装置１として機能するようになっている。
【００３０】
＜録画再生装置の録画済み管理データおよび有効期限初期値テーブルの一例＞
次に、図２〜図４により、本発明の一実施の形態に係る録画再生装置の録画済み番組管理データ２０７および有効期限初期値テーブル２０の一例について説明する。図２は本発明の一実施の形態に係る録画再生装置の録画済み番組管理データとして格納される録画番組テーブルの一例を示す図、図３は本発明の一実施の形態に係る録画再生装置の録画済み番組管理データとして格納される容量テーブルの一例を示す図、図４は本発明の一実施の形態に係る録画再生装置の有効期限初期値テーブルの一例を示す図である。
【００３１】
図２において、録画番組テーブル２０７ａは、録画済み番組に関する情報が格納されており、例えば、録画日、チャンネル、開始時刻、録画時間、番組名、画質、映像データ名、容量、有効期限の情報が格納されている。有効期限の情報は、録画済み番組が保存しておく価値が無くなるまでの日時が設定されており、本実施の形態では、この有効期限の情報に基づいて、録画済み番組をグループ分けすることにより、録画済み番組の管理が行われている。
【００３２】
また、図３において、容量テーブル２０７ｂは、録画済み番組の録画データの合計容量に関する情報が格納されており、例えば、有効期限の情報によりグループ分けされた、自動消去対象録画データ容量、永久保管対象録画データ容量、その他の通常録画データ容量のそれぞれの合計容量が格納されている。
【００３３】
また、図４において、有効期限初期値テーブル２０は、番組の予約を行う際に初期値として設定される有効期限に関する情報が格納されており、例えば、連続予約と番組名に含まれる語句の組み合わせによる有効期限が格納されている。
【００３４】
ここで、有効期限とは、録画された番組を視聴する価値が持続し主記憶媒体ＨＤＤ１０３内に保存しておく必要のあるグループＡから視聴する価値が低くなり主記憶媒体ＨＤＤ１０３内に必ずしも保存しておかなくてもよいグループＢに変更させる日時のことと定義する。
【００３５】
また、有効期限を永久保管とするとは、いつまでも有効期限に到達しないようにする、すなわち、録画された番組を視聴する価値が常に持続し主記憶媒体ＨＤＤ１０３内にずっと保存しておくグループＣに所属させることと定義する。
【００３６】
＜録画再生装置の動作および表示例＞
次に、図５〜図１９により、本発明の一実施の形態に係る録画再生装置の動作および表示例について説明する。図５は本発明の一実施の形態に係る録画再生装置の動作を示すフローチャート、図６は本発明の一実施の形態に係る録画再生装置の自動消去処理ルーチンの動作を示すフローチャート、図７は本発明の一実施の形態に係る録画再生装置の録画予約処理ルーチンの動作を示すフローチャート、図８は本発明の一実施の形態に係る録画再生装置の一覧表示処理ルーチンの動作を示すフローチャート、図９は本発明の一実施の形態に係る録画再生装置の有効期限変更処理ルーチンの動作を示すフローチャート、図１０〜図１９は本発明の一実施の形態に係る録画再生装置の動作時の画面表示の一例を示す図である。
【００３７】
まず、ＣＰＵ１１２は、購入後で初期設定が完了していない状態であるかどうかを判断し、初期設定が完了していない状態であった場合には、初期処理ルーチンを実行する。
【００３８】
この初期処理ルーチンでは、ＣＰＵ１１２は、例えば、日時設定を行うための日時設定画面をモニター１０２に表示し、ユーザーが現在の日時を画面上で設定する。ユーザーが設定した日時は、ＣＰＵ１１２がＲＴＣ１１６に書き込む。次に、ＣＰＵ１１２は、自動消去対象録画データの保存限度容量２０２ａおよび永久保管対象録画データの報知設定容量２０２ｂの情報を設定するための容量設定画面を表示し、設定容量値２０２に格納されている自動消去対象録画データの保存限度容量２０２ａと永久保管対象録画データの報知設定容量２０２ｂの初期値を表示する。
【００３９】
なお、自動消去対象録画データの保存限度容量２０２ａおよび永久保管対象録画データの報知設定容量２０２ｂは、録画再生装置として固定値としての初期値は持たずに、ユーザーによる初期設定時にユーザーが設定するようにしてもよい。
【００４０】
ＣＰＵ１１２は、ユーザーが容量設定画面上でこれら容量値を変更せずに、例えば「決定」を選択した場合はその初期値を、ユーザーが変更して「決定」を選択した場合はその変更した容量値を、設定容量値２０２（２０２ａ，２０２ｂ）として書き込む。
【００４１】
永久保管対象録画データの報知設定容量２０２ｂの設定値は、ユーザーの使い勝手の観点から、ＤＶＤ−Ｒなど装置に着脱可能な第２の記録媒体容量の２倍から４倍程度を設定するのが望ましい。ここでは、自動消去対象録画データの保存限度容量２０２ａとして１２０ＧＢ、永久保管対象録画データの報知設定容量２０２ｂとして２０ＧＢが設定されたものとする。この処理は容量設定手段２０１により処理されている。
【００４２】
次に、ＣＰＵ１１２は、ユーザーからの指示に従って、テレビ放送の受信地域や受信チャンネルや電子番組表の受信チャンネルなど、初期設定を行い、初期処理ルーチンを終了する。
【００４３】
そして、初期ルーチンの処理が終了した後は、通常の処理となり、図５に示すように、まず、ＣＰＵ１１２は、自動消去処理ルーチンを実行し（ステップＳ１）、次に、ＣＰＵ１１２は、電源投入がユーザーによるものか、ＲＴＣ１１６によるものかを判断し（ステップＳ２）、ＲＴＣ１１６による電源投入の場合は、録画処理ルーチンを実行して（ステップＳ３）、録画処理ルーチンが終了すると処理を終了する。
【００４４】
また、ステップＳ２でユーザーによる電源投入の場合は、図１０に示すようなメニュー画面を表示する（ステップＳ４）。そして、図１０に示すようなメニュー画面において、ユーザーからのメニュー画面による操作の処理を行う（ステップＳ５）。
【００４５】
図１０に示す例では、「録画予約」が指示された時は録画予約処理ルーチンを実行し、「番組一覧」が指示された時は番組一覧表示ルーチンを実行し、「ＴＶ」が指示された時は放送中のテレビ番組をモニター１０２上で再生するテレビ表示処理を実行し、「補助機能」が指示された時は主記録媒体ＨＤＤ１０３に記録された映像データを第２の記録媒体（ＤＶＤ−Ｒなど）へダビングする処理などの録画再生装置１のその他の各種補助処理を行い、「電源切」が指示された時は装置の電源をオフにして装置をスタンバイ状態にして処理を終了する。
【００４６】
次に、図５のステップＳ１による自動消去処理ルーチンの動作について説明する。
【００４７】
自動消去処理ルーチンでは、図６に示すように、まず、図１に示す録画済み番組管理データ２０７領域内にある容量テーブル２０７ｂを計算し更新する（ステップＳ４１）。具体的には、ステップＳ４１においては、有効期限が現在時刻より以前の録画番組の容量合計を計算して容量テーブル２０７ｂの自動消去対象録画データ容量３０１とし、有効期限が「永久保管」の録画番組の容量合計を計算して永久保管対象録画データ容量３０２とし、有効期限が現在時刻よりも後の録画番組の容量合計を計算してその他の通常録画データ容量３０３とする。
【００４８】
次のステップＳ４２では、自動消去対象録画データ容量３０１が自動消去対象録画データの保存限度容量２０２ａ以上になったかどうかを判断し、なっていない場合は何もせずにステップＳ４５に進み、なった場合には、有効期限の一番古い番組を録画番組テーブル２０７ａから削除すると共に対応する映像データを録画済み番組映像データ２０８から削除（ステップＳ４３）した後、自動消去対象録画データ容量３０１を再計算（ステップＳ４４）して、ステップＳ４２に戻る。
【００４９】
次のステップＳ４５では、永久保管対象録画データ容量３０２が永久保管対象録画データの報知設定容量２０２ｂ以上になったかどうかを判断し、なっていない場合は自動消去処理ルーチンを終了し、なった場合には、例えば図１１に示すようなアラーム画面を表示する（ステップＳ４６）。次のステップＳ４７とステップＳ４８において、ＣＰＵ１１２は、ユーザーがアラーム画面上の「保留」か「ダビング」を指示するまで待機し、ユーザーが「保留」を指示した場合は自動消去処理ルーチンを終了し、「ダビング」が指示された場合は、主記録媒体ＨＤＤ１０３に記録された永久保管対象録画データを第２の記録媒体（ＤＶＤ−Ｒなど）へダビング処理（ステップＳ４９）を行った後、自動消去処理ルーチンを終了する。ここで、ステップＳ４１、ステップＳ４２、ステップＳ４５の処理が、図１の容量判定手段２０９により処理され、ステップＳ４２からステップＳ４４までの処理が、図１の自動消去手段２１０により処理され、ステップＳ４６の処理が、図１のユーザー報知手段２１１により処理されている。
【００５０】
次に、図５のステップＳ５のユーザー指示による録画予約処理ルーチンの動作について説明する。
【００５１】
録画予約処理ルーチンでは、図７に示すように、ＣＰＵ１１２は、図１２に示すような録画予約画面を表示し（ステップＳ８１）、ユーザーが電子番組ガイドＥＰＧ（Ｅｌｅｃｔｒｏｎｉｃ  Ｐｒｏｇｒａｍ  Ｇｕｉｄｅ）を使用して予約番組を画面上で入力する（ステップＳ８２）。
【００５２】
次に、ＣＰＵ１１２は、ユーザーが入力した予約番組に対応した有効期限欄に、主記録媒体ＨＤＤ１０３に格納されている有効期限初期値テーブル２０を参照して録画予約する番組の性質に応じた適切な有効期限の初期値を設定する。
【００５３】
なお、予約番組に対するユーザーの嗜好や生活習慣などにより有効期限を初期値以外に変更する場合は、ユーザーが画面上で入力する（ステップＳ８３）。
【００５４】
次に、ＣＰＵ１１２は「中止」ボタンが押されたかどうか判断し（ステップＳ８４）、押された場合は録画予約処理を終了してメニュー画面表示に戻り、押されていない場合は、ステップＳ８５の処理に移る。ステップＳ８５では、ＣＰＵ１１２は「予約」ボタンが押されたかどうか判断し、押されていない場合は、ステップＳ８４の処理に戻り、押された場合は画面の情報を録画予約データ２０５として保存して（ステップＳ８６）、録画予約処理を終了してメニュー画面表示に戻る。
【００５５】
ここでは、図１２に図示した番組が録画予約され、有効期限が設定されたものとする。これら図７に示す一連の処理フローが、図１の録画予約設定手段２０３により処理され、また、ステップＳ８３の処理が図１の有効期限設定手段２０４により処理されている。
【００５６】
ここで、有効期限初期値テーブル２０は、本実施の形態が特徴とするところの録画予約する番組の性質に応じた適切な有効期限の初期値を設定するためのものである。このテーブルには、電子番組ガイドＥＰＧの番組名に「天気予報」か「ニュース」の語句が含まれる毎日の連続予約番組は、録画後２日過ぎれば例え未視聴であっても視聴する価値が殆ど無くなることから、その有効期限は「２日後」と定義されている。
【００５７】
また、番組名に「連続ドラマ」の語句が含まれる毎日の連続予約番組や毎週の連続予約番組は、休日にまとめて視聴する習慣のユーザーもいることから、その有効期限は「８日後」と定義されている。さらに、連続予約でないその他単発の予約番組は、半月もあれば殆ど視聴できるであろうことから、その有効期限は「１５日後」と定義されている。
【００５８】
この有効期限初期値テーブル２０は、録画再生装置１に固定的に設定されていてもよいし、録画再生装置１の初期処理時にユーザーが設定画面（図示省略）を使用して、予約番組の嗜好や生活習慣などに合わせて初期設定してもよい。
【００５９】
次に、録画予約番組の録画の動作について説明する。
【００６０】
番組の録画開始時刻は、録画時刻管理手段（図示省略）によって管理され、ＲＴＣ１１６によって録画開始時刻の数分前に録画再生装置１に電源投入されるように管理される。ＲＴＣ１１６によって録画開始時間の数分前に録画再生装置１が電源投入されると、先にメイン処理の動作で説明したように、ＣＰＵ１１２は自動消去処理ルーチン（ステップＳ１）を実行後、ステップＳ２の判定で録画処理ルーチン（ステップＳ３）の処理に移る。
【００６１】
録画処理ルーチン（ステップＳ３）では、ＣＰＵ１１２は、まず録画予約データ２０５で録画番組を確認し、録画開始時刻になるまで待つ。その後、録画開始時刻になると、ＣＰＵ１１２は、番組の映像データを録画し、録画済み番組映像データ２０８の領域に記録する。
【００６２】
次に、ＣＰＵ１１２は、具体的な有効期限を算出し、録画済み番組を録画済み番組管理データ２０７の領域に録画番組テーブル２０７ａの形式で記録する。
【００６３】
そして、電源をオフして装置をスタンバイ状態にし、録画処理ルーチンを終了する。これらの一連の処理フローが、図１の録画実行手段２０６により処理されている。
【００６４】
なお、図２に示す録画番組テーブル２０７ａの内容は、図１２の録画予約データ２０５に従って、録画再生装置１が２００４年７月４日（日）１４時３７分から２００４年７月３１日（木）１９時４１分まで動作した後の内容を示している。録画番組テーブル２０７ａの有効期限の欄には、算出された具体的な有効期限が格納される。すなわち、図１２で有効期限が「永久保管」と設定された番組には「永久保管」が、「ｎ日後」と設定された番組には「録画日のｎ日後の日時」有効期限として格納される。
【００６５】
次に、図５のステップＳ５のユーザー指示による番組一覧表示処理ルーチンの動作について説明する。
【００６６】
番組一覧表示処理ルーチンでは、図８に示すように、まず、録画番組テーブル２０７ａから録画番組を抽出し、番組一覧を表示する（ステップＳ９１）。
【００６７】
ステップＳ９１において、最初の画面表示では、図１３に示す通常の番組一覧を表示する。その後、ユーザーが画面上のタブを選択すると、ＣＰＵ１１２は、選択したタブに応じて、図１３に示す「主記憶媒体ＨＤＤ内に保存しておく必要のあるグループＡ」となる「通常」の番組一覧、図１４に示す「主記憶媒体ＨＤＤ内にずっと保存しておくグループＣ」となる「永久保管」の番組一覧、図１５に示す「ＨＤＤ内に必ずしも保存しておかなくてもよいグループＢ」となる「期限後」の番組一覧、図１６に示す「グループＡ、Ｂ，Ｃのすべて」となる「すべて」の番組一覧を表示する。
【００６８】
ユーザーが選択したタブと表示する番組一覧名と番組の表示条件との関係を図８のステップＳ９１ａ〜ステップＳ９１ｄに示す。
【００６９】
このステップＳ９１が、図１の一覧表示手段２１２により処理されている。
【００７０】
ステップＳ９１において、図１３に示す「通常」の番組一覧では、主記録媒体ＨＤＤ１０３に記録されている膨大な録画番組のうち、有効期限が現在時刻より後の必要最低数の録画番組だけを有効期限の日時の昇順に表示するので、ユーザーは自分が視聴したい番組を番組一覧表の最初の方に容易に見つけることができる。
【００７１】
また、図１４に示す「永久保管」の番組一覧では、ユーザーがＤＶＤ−Ｒなど装置に着脱可能な第２の記録媒体１０４にダビングする目的で主記録媒体ＨＤＤ１０３内に保存した録画番組だけを表示するので、ユーザーが当該番組を容易に判別することができる。
【００７２】
また、図１５に示す「期限後」の番組一覧では、有効期限が現在時刻より以前の録画番組を有効期限の日時の降順に表示するので、万一、ユーザーが有効期限内に番組を視聴できなかった場合においても、ユーザーは自分が再生したい番組を番組一覧表の最初の方に容易に見つけることができる。
【００７３】
図１７は、図１３に示す通常の番組一覧の画面において、ユーザーが録画日７／２０のマジックショーの番組を選択した状態の画面を示している。ユーザーが選択した番組が白黒反転表示されている。この図１７の画面上で、「変更」ボタンが押されると、ＣＰＵ１１２は、選択された番組の有効期限変更処理ルーチンを実行し、「再生」ボタンが押されると、ＣＰＵ１１２は、選択された番組の番組再生処理ルーチンを実行し、「戻る」ボタンが押されると、メニュー画面に戻って、番組一覧表示処理ルーチンを終了する。
【００７４】
次に、図１７の画面上で、「変更」ボタンが押された場合の有効期限変更処理ルーチンの動作について説明する。
【００７５】
有効期限変更処理ルーチンでは、まず、図９に示すように、ＣＰＵ１１２は、選択された番組に対して図１８に示す有効期限変更画面を表示する（ステップＳ２１１）。その後、例えば録画日７／２０のマジックショーの番組を「永久保管」に変更する場合は、図１８に示す画面上で、ユーザーが変更後の有効期限を「永久保管」と設定する。
【００７６】
次のステップＳ２１２では、ＣＰＵ１１２は「中止」ボタンが押されたかどうか判断し、押された場合はステップＳ２１５に進み、押されていない場合は、ステップＳ２１３の処理に移る。ステップＳ２１３では、ＣＰＵ１１２は「決定」ボタンが押されたかどうか判断し、押されていない場合はステップＳ２１２に戻り、押された場合は、録画番組テーブル２０７ａの当該番組の有効期限を変更し（ステップＳ２１４）、番組一覧表を再度表示（ステップＳ２１５）して、有効期限変更処理ルーチンを終了する。
【００７７】
この図１８に示す一連の処理フローが図１の有効期限変更手段２１３によりされている。
【００７８】
次に、図１７の画面上で、「再生」ボタンが押された場合の番組再生処理ルーチンの動作について説明する。
【００７９】
番組再生処理ルーチンでは、まず、ＣＰＵ１１２は、ユーザーが選択した録画番組を再生する。次に、ＣＰＵ１１２は、録画番組が最後まで再生されるか、または、ユーザー操作によって再生が中断されるまで待ち、録画番組が最後まで再生されるか、または、ユーザー操作によって再生が中断されたら、番組再生処理を終了する。
【００８０】
なお、この再生処理ルーチンでは、録画番組が最後まで再生されるか、または、ユーザー操作によって再生が中断された場合に、例えば、図１９に示す確認画面を表示させ、確認画面によりユーザーに有効期限を変更するかどうかの確認をするようにしてもよい。
【００８１】
図１９に示す確認画面による操作としては、「いいえ」ボタンが押された場合は、再生処理を終了し、「はい」ボタンが押された場合は、図９に示す有効期限変更処理ルーチンを実行する。
【００８２】
これにより、番組を最後まで再生した場合は、番組の内容により永久保存への変更する番組である可能性が高く、途中で再生が中断された場合は、有効期限を短くして削除対象にしたい番組である可能性が高いので、ユーザーはこの確認画面により、有効期限を容易に変更することが可能である。
【００８３】
以上のように、本実施の形態では、録画される番組ごとに有効期限を設けて、現在時刻を基準に、録画番組を有効期限に基づいて、「標準」、「期限後」、「永久保存」のそれぞれグループＡ、グループＢ、グループＣに分類して録画番組の一覧表示を行っており、グループＡ、Ｂ、Ｃの分類は、時間軸上で現在時刻を基準に行われるので、時間の経過とともに自動的に録画番組の所属グループが変更され、所属グループの変更をユーザーが行う必要が無くなる。
【００８４】
さらに、ユーザーに標準で見せる通常の録画番組一覧表として、グループＡに所属する録画番組を有効期限の日時の昇順に一覧表示させているので、視聴する価値が持続している録画番組に限定された録画番組一覧表が有効期限の早く切れる順に表示され、ユーザーが視聴したい肝心の番組が通常の録画番組一覧表の最初の方に表示され、探すのが容易となる。
【００８５】
さらに、ユーザーに見せる期限後の録画番組一覧表として、グループＢに所属する録画番組を有効期限の日時の降順に一覧表示させているので、有効期限が切れた遅い順に録画番組一覧表が表示され、万一、ユーザーが視聴したい肝心の番組を有効期限内に視聴することができなかった場合においても、ユーザーが視聴したい肝心の番組が期限後の録画番組一覧表の最初の方に表示され、探すのが容易となる。
【００８６】
さらに、録画予約する番組にその予約番組の性質に応じた適切な有効期限の初期値（例えば天気予報やニュース番組の場合は２日後）を設定しているので、天気予報やニュースなど毎日連続予約された番組であっても、録画日からの日時経過が２日未満の録画番組だけしかグループＡに所属しないために、ユーザーに標準で見せる通常の録画番組一覧表に表示される番組数が必要最低数になり、ユーザーが視聴したい肝心の番組を探すのが容易になる。
【００８７】
また、有効期限が永久保管の録画番組のみを永久保管の録画済み番組一覧表として表示するように構成するとともに、当該番組の容量がある設定容量を越えた時にユーザーに報知するように構成しているので、視聴する価値が常に持続しＨＤＤ内にずっと保存しておくグループＣの録画番組の一覧表が表示され、それらの番組が一定容量貯まった時にユーザーに報知することができる。
【００８８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８９】
例えば、本実施の形態では、録画番組を「ＨＤＤ内に保存しておく必要のあるグループＡ」となる「通常」、「ＨＤＤ内に必ずしも保存しておかなくてもよいグループＢ」となる「期限後」、「ＨＤＤ内にずっと保存しておくグループＣ」となる「永久保存」に区分して番組一覧表示するために、録画番組の有効期限と現在時刻との比較で行ったが、この構成に限る必要はなく、録画番組にグループＡ，Ｂ，Ｃそれぞれに対応する符号や属性を付けて、その符号や属性別に番組一覧表示するように構成しても構わない。
【００９０】
また、本実施の形態では、チューナー１０５を録画再生装置１に内蔵する構成としたが、チューナー１０５は録画再生装置１に外付けの構成であっても構わない。
【００９１】
また、本実施の形態では、第２の記録媒体１０４を録画再生装置１に含む構成としたが、第２の記録媒体１０４は録画再生装置１に外付けされる構成であっても構わない。また第２の記録媒体１０４は構成としてなくても構わない。
【産業上の利用可能性】
【００９２】
本発明は、いわゆるＨＤＤ内蔵型のＤＶＤレコーダーのみならず、テレビチューナー外付けあるいは内蔵のテレビパソコンなどにも利用することができる。
【図面の簡単な説明】
【００９３】
【図１】本発明の一実施の形態に係る録画再生装置の構成を示す構成図である。
【図２】本発明の一実施の形態に係る録画再生装置の録画済み番組管理データとして格納される録画番組テーブルの一例を示す図である。
【図３】本発明の一実施の形態に係る録画再生装置の録画済み番組管理データとして格納される容量テーブルの一例を示す図である。
【図４】本発明の一実施の形態に係る録画再生装置の有効期限初期値テーブルの一例を示す図である。
【図５】本発明の一実施の形態に係る録画再生装置の動作を示すフローチャートである。
【図６】本発明の一実施の形態に係る録画再生装置の自動消去処理ルーチンの動作を示すフローチャートである。
【図７】本発明の一実施の形態に係る録画再生装置の録画予約処理ルーチンの動作を示すフローチャートである。
【図８】本発明の一実施の形態に係る録画再生装置の一覧表示処理ルーチンの動作を示すフローチャートである。
【図９】本発明の一実施の形態に係る録画再生装置の有効期限変更処理ルーチンの動作を示すフローチャートである。
【図１０】本発明の一実施の形態に係る録画再生装置の動作時の画面表示の一例を示す図である。
【図１１】本発明の一実施の形態に係る録画再生装置の動作時の画面表示の一例を示す図である。
【図１２】本発明の一実施の形態に係る録画再生装置の動作時の画面表示の一例を示す図である。
【図１３】本発明の一実施の形態に係る録画再生装置の動作時の画面表示の一例を示す図である。
【図１４】本発明の一実施の形態に係る録画再生装置の動作時の画面表示の一例を示す図である。
【図１５】本発明の一実施の形態に係る録画再生装置の動作時の画面表示の一例を示す図である。
【図１６】本発明の一実施の形態に係る録画再生装置の動作時の画面表示の一例を示す図である。
【図１７】本発明の一実施の形態に係る録画再生装置の動作時の画面表示の一例を示す図である。
【図１８】本発明の一実施の形態に係る録画再生装置の動作時の画面表示の一例を示す図である。
【図１９】本発明の一実施の形態に係る録画再生装置の動作時の画面表示の一例を示す図である。
【符号の説明】
【００９４】
１…録画再生装置、２０…有効期限初期値テーブル、１０１…アンテナ、１０２…モニター、１０３…主記録媒体ＨＤＤ、１０４…第２の記録媒体、１０５…チューナー、１０６…エンコーダ、１０７…デコーダ、１０８…オーバーレイ部、１０９…メニュー表示部、１１０…リモコン、１１１…ユーザー入力部、１１２…ＣＰＵ、１１３…バス、１１４…ＲＯＭ、１１５…ＲＡＭ、１１６…ＲＴＣ、２０１…容量設定手段、２０２…設定容量値、２０３…録画予約設定手段、２０４…有効期限設定手段、２０５…録画予約データ、２０６…録画実行手段、２０７…番組管理データ、２０８…番組映像データ、２０９…容量判定手段、２１０…自動消去手段、２１１…ユーザー報知手段、２１２…一覧表示手段、２１３…有効期限変更手段、２１４…再生実行手段、２１５…再生終了検知手段、３０１…自動消去対象録画データ容量、３０２…永久保管対象録画データ容量、３０３…通常録画データ容量。
【図１】
2006173766.tif 000003
【図２】
2006173766.tif 000004
【図３】
2006173766.tif 000005
【図４】
2006173766.tif 000006
【図５】
2006173766.tif 000007
【図６】
2006173766.tif 000008
【図７】
2006173766.tif 000009
【図８】
2006173766.tif 000010
【図９】
2006173766.tif 000011
【図１０】
2006173766.tif 000012
【図１１】
2006173766.tif 000013
【図１２】
2006173766.tif 000014
【図１３】
2006173766.tif 000015
【図１４】
2006173766.tif 000016
【図１５】
2006173766.tif 000017
【図１６】
2006173766.tif 000018
【図１８】
2006173766.tif 000019
【図１９】
2006173766.tif 000020
【図１７】
2006173766.tif 000021